(57)【要約】      （修正有）【課題】不使用時には、蓋体と、扁平状に折り畳んだ箱体と、底板を一つにまとめて収蔵に便利なコンパクトな形態にできる座椅子を兼ねる収納箱を提供する。【解決手段】扁平状に折り畳むことができる箱体２と、底板８と、クッション性を有する座面をもつ蓋体１０から成る座椅子を兼ねる収納箱１であって、箱体２の高さ幅Ｈと折れ線６が形成された側面部４の横幅Ｗ２を略同一の長さにすることによって、箱体の方形状の開口部の外周縁と扁平状に折り畳まれた箱体の平面形状を略同一の方形状に形成した。不使用時には、蓋体１０の内部空間に扁平状に折り畳まれた箱体２と底板８を収納できる。更に、蓋体の蓋面部１２に延設部を形成し、蓋体の側壁部１５を先端側の内周壁が基端側の内周壁より狭くなる傾斜壁面にし、蓋体の内部に底板と扁平状に折り畳んだ箱体を確実に収納できるようにした。【選択図】図１
0003207795.tif 000002
【実用新案登録請求の範囲】
【請求項１】
柔らかな材質の方形の底面部と、この方形の底面部の四辺に対応した四面の硬質の側面部で形成され、この側面部の縦幅を箱体の高さ幅とした上方を方形状の開口部とした箱体と、この箱体の底面部に対応する硬質の底板と、この箱体の方形状の開口部を被う方形の蓋面部と、この方形の蓋面部の周縁に連接された四面の側壁部で形成され、この側壁部が箱体の側面部の上部位置を外側から被せられるようにした蓋体とで収納箱を構成し、この蓋体の蓋面部を硬質の蓋板の上面にクッション性を有する弾性パッドを設けた多層構造にすることによって、該蓋面部にクッション性を有する座面機能を付与し、前記箱体の相隣する各側面部を折り畳み自在に連接すると共に、前記箱体の一方の対向する側面部の中央に縦方向に延びる折れ線をそれぞれ形成し、この折れ線が形成された対向する側面部を該折れ線を先端にして内側に折り込み自在に構成することによって、前記箱体を折れ線が形成されていない対向する側面部の面範囲内で扁平状に折り畳み自在に構成し、使用時には、箱体の底面部の上に載置した底板で箱形態を保持し、箱形態を保持された箱体の開口部に蓋体を被せた収納箱として用いると共に、この収納箱を蓋体の蓋面部を座面とした座椅子として用い、不使用時には、蓋体と底板が外された箱体を折れ線が形成されていない対向する側面部の面範囲内で扁平状に折り畳むことができるようにした座椅子を兼ねる収納箱であって、
前記箱体の高さ幅と折れ線が形成された側面部の伸長時の横幅を略同一の長さに形成することによって、箱形態の箱体の方形状の開口部の外周縁と折れ線が形成されていない対向する側面部の面範囲内で扁平状に折り畳まれた箱体の平面形状を略同一の方形状に形成し、更に前記蓋体の蓋面部と側壁部の内壁面で形成される蓋体の内部空間を該内部空間に扁平状に折り畳まれた箱体と底板を重ねて収納できる深さに形成したことを特徴とする座椅子を兼ねる収納箱。
【請求項２】
柔らかな材質の方形の底面部と、この方形の底面部の四辺に対応した四面の硬質の側面部で形成され、この側面部の縦幅を箱体の高さ幅とした上方を方形状の開口部とした箱体と、この箱体の底面部に対応する硬質の底板と、この箱体の方形状の開口部を被う方形の蓋面部と、この方形の蓋面部の周縁に連接された四面の側壁部で形成され、この側壁部が箱体の側面部の上部位置を外側から被せられるようにした蓋体とで収納箱を構成し、この蓋体の蓋面部を硬質の蓋板の上面にクッション性を有する弾性パッドを設けた多層構造にすることによって、該蓋面部にクッション性を有する座面機能を付与し、前記箱体の相隣する各側面部を折り畳み自在に連接すると共に、前記箱体の一方の対向する側面部の中央に縦方向に延びる折れ線をそれぞれ形成し、この折れ線が形成された対向する側面部を該折れ線を先端にして内側に折り込み自在に構成することによって、前記箱体を折れ線が形成されていない対向する側面部の面範囲内で扁平状に折り畳み自在に構成し、使用時には、箱体の底面部の上に載置した底板で箱形態を保持し、箱形態を保持された箱体の開口部に蓋体を被せた収納箱として用いると共に、この収納箱を蓋体の蓋面部を座面とした座椅子として用い、不使用時には、蓋体と底板が外された箱体を折れ線が形成されていない対向する側面部の面範囲内で扁平状に折り畳むことができるようにした座椅子を兼ねる収納箱であって、
前記箱体の高さ幅と折れ線が形成された側面部の伸長時の横幅を略同一の長さに形成することによって、箱形態の箱体の方形状の開口部の外周縁と折れ線が形成されていない対向する側面部の面範囲内で扁平状に折り畳まれた箱体の平面形状を略同一の方形状に形成し、更に前記蓋体の蓋面部と側壁部の内壁面で形成される蓋体の内部空間を該内部空間に扁平状に折り畳まれた箱体と底板を重ねて収納できる深さに形成し、且つ、前記蓋体の蓋面部に前記箱体の方形状の開口部の外周縁より該蓋面部の周縁を拡げた延設部を形成し、この延設部を形成した蓋面部の周縁に連接された蓋体の側壁部を、蓋体の側壁部の先端側の内周壁が側壁部の基端側の内周壁より狭くなるように該側壁部の先端側を基端側より内側に位置させた傾斜壁面とし、この傾斜壁面とした側壁部によって、箱形態の箱体の開口部に蓋体を被せた使用時にあっては、側壁部の基端側は該側壁部の内周壁と箱体の上部外側面との間に隙間空間が設けられ、側壁部の先端側は該側壁部の内周壁が箱体の上部外側面に接触されるようにし、蓋体の内部空間に扁平状に折り畳まれた箱体と底板を重ねて収納する不使用時にあっては、側壁部の基端側は該側壁部の内周壁と扁平状に折り畳まれた箱体の側部との間に隙間空間が設けられ、側壁部の先端側は該側壁部の内周壁が蓋体の内部空間に出し入れされる扁平状に折り畳まれた箱体の側部と接触されるように構成したことを特徴とする座椅子を兼ねる収納箱。
【請求項３】
前記箱体が、正方形の底面部とこの底面部と同じ正方形の四面の側面部で形成された箱体である請求項１又は２に記載の座椅子を兼ねる収納箱。
【請求項４】
前記箱体が、長方形の底面部と、この底面部の長辺に対応した二面の側面部とこの底面部の短辺に対応した二面の側面部で形成された箱体であって、底面部の短辺に対応した二面の側面部に前記折れ線を形成した箱体である請求項１又は２に記載の座椅子を兼ねる収納箱。
【考案の詳細な説明】
【技術分野】
【０００１】
本考案は、座椅子を兼ねる収納箱に関するものである。
【背景技術】
【０００２】
座椅子を兼ねる収納箱に関しては、特許文献１の座椅子となる折り畳み収納箱が公開されている。この収納箱は、座椅子となる折り畳み式収納箱であって、軟性の底面を有し、前記底面四辺はそれぞれ上方に側壁を延伸し、相対する両側壁は剛性で湾折せず、もう一つの相対する両側壁は剛性であるが、垂直方向に延伸した折線により側壁を湾折することができ、相隣する側壁間も湾折できる箱体と、前記箱体底面に対応する剛性板体である底板と、蓋体と、からなり、前記蓋体は、その頂面四辺は下方に延伸壁を延伸し、各延伸壁と頂面は湾折でき、対称な両延伸壁の二側は、三面が交差する角端から自由辺に傾斜折線を延伸したことを特徴としたものである。
【０００３】
この特許文献１の座椅子となる折り畳み収納箱は、収納箱を物品の収納の功能以外に、不使用時、折り畳んで小さくなり収蔵に便利なだけでなく、収納箱を座椅子としても使用できる。特に、特許文献１の座椅子となる折り畳み収納箱は、不使用時には、箱体を扁平状に折り畳めることはもちろんのこと、蓋体も扁平状に折り畳むことができるようにしたものである。
【先行技術文献】
【特許文献】
【０００４】
【特許文献１】実用新案登録第３１２１０９６号公報
【考案の概要】
【考案が解決しようとする課題】
【０００５】
上記したように、特許文献１の座椅子となる折り畳み収納箱は、不使用時には、箱体を扁平状に折り畳めることはもちろんのこと、蓋体も扁平状に折り畳むことができるようにしたものである。しかし、不使用時、三つの構成物（扁平状に折り畳んだ箱体と、扁平状に折り畳んだ蓋体と、底板）を収蔵する際、これら三つの構成物が独立していてまとまりがない。
【０００６】
本考案は、物品を収納できる収納箱としての効能、この収納箱を座椅子として使用できる効能を有するほか、不使用時に、蓋体と、扁平状に折り畳んだ箱体と、底板とを一つにまとめて収蔵に便利なコンパクトな形態にできる効能を有する座椅子を兼ねる収納箱を提供することを主な課題とする。
【課題を解決するための手段】
【０００７】
前記した目的を達成するため、本考案（請求項１の考案）は、柔らかな材質の方形の底面部と、この方形の底面部の四辺に対応した四面の硬質の側面部で形成され、この側面部の縦幅を箱体の高さ幅とした上方を方形状の開口部とした箱体と、この箱体の底面部に対応する硬質の底板と、この箱体の方形状の開口部を被う方形の蓋面部と、この方形の蓋面部の周縁に連接された四面の側壁部で形成され、この側壁部が箱体の側面部の上部位置を外側から被せられるようにした蓋体とで収納箱を構成し、この蓋体の蓋面部を硬質の蓋板の上面にクッション性を有する弾性パッドを設けた多層構造にすることによって、該蓋面部にクッション性を有する座面機能を付与し、前記箱体の相隣する各側面部を折り畳み自在に連接すると共に、前記箱体の一方の対向する側面部の中央に縦方向に延びる折れ線をそれぞれ形成し、この折れ線が形成された対向する側面部を該折れ線を先端にして内側に折り込み自在に構成することによって、前記箱体を折れ線が形成されていない対向する側面部の面範囲内で扁平状に折り畳み自在に構成し、使用時には、箱体の底面部の上に載置した底板で箱形態を保持し、箱形態を保持された箱体の開口部に蓋体を被せた収納箱として用いると共に、この収納箱を蓋体の蓋面部を座面とした座椅子として用い、不使用時には、蓋体と底板が外された箱体を折れ線が形成されていない対向する側面部の面範囲内で扁平状に折り畳むことができるようにした座椅子を兼ねる収納箱であって、前記箱体の高さ幅と折れ線が形成された側面部の伸長時の横幅を略同一の長さに形成することによって、箱形態の箱体の方形状の開口部の外周縁と折れ線が形成されていない対向する側面部の面範囲内で扁平状に折り畳まれた箱体の平面形状を略同一の方形状に形成し、更に前記蓋体の蓋面部と側壁部の内壁面で形成される蓋体の内部空間を該内部空間に扁平状に折り畳まれた箱体と底板を重ねて収納できる深さに形成した座椅子を兼ねる収納箱を提供する。
【０００８】
さらに、本考案（請求項２の考案）は、前記蓋体の蓋面部に前記箱体の方形状の開口部の外周縁より該蓋面部の周縁を拡げた延設部を形成し、この延設部を形成した蓋面部の周縁に連接された蓋体の側壁部を、蓋体の側壁部の先端側の内周壁が側壁部の基端側の内周壁より狭くなるように該側壁部の先端側を基端側より内側に位置させた傾斜壁面とし、この傾斜壁面とした側壁部によって、箱形態の箱体の開口部に蓋体を被せた使用時にあっては、側壁部の基端側は該側壁部の内周壁と箱体の上部外側面との間に隙間空間が設けられ、側壁部の先端側は該側壁部の内周壁が箱体の上部外側面に接触されるようにし、蓋体の内部空間に扁平状に折り畳まれた箱体と底板を重ねて収納する不使用時にあっては、側壁部の基端側は該側壁部の内周壁と扁平状に折り畳まれた箱体の側部との間に隙間空間が設けられ、側壁部の先端側は該側壁部の内周壁が蓋体の内部空間に出し入れされる扁平状に折り畳まれた箱体の側部と接触されるように構成した座椅子を兼ねる収納箱を提供する。
【０００９】
前記箱体は、正方形の底面部とこの底面部と同じ正方形の四面の側面部で形成された箱体である。あるいは、前記箱体は、長方形の底面部と、この底面部の長辺に対応した二面の側面部とこの底面部の短辺に対応した二面の側面部で形成された箱体であって、底面部の短辺に対応した二面の側面部に前記折れ線を形成した箱体である。
【考案の効果】
【００１０】
本考案の座椅子を兼ねる収納箱によれば、物品を収納できる収納箱としての効能、この収納箱を座椅子として使用できる効能を有するほか、不使用時には、蓋体の内部に扁平状に折り畳まれた箱体と底板を収納できる。従って、不使用時には、蓋体の内部に扁平状に折り畳まれた箱体と底板を重ねて収納することによって、蓋体と、扁平状に折り畳んだ箱体と、底板とを一つにまとめた収蔵に便利なコンパクトな形態にできる。
【００１１】
しかも、本考案（請求項２の考案）によれば、蓋体の側壁部を該側壁部の先端側の内周壁が基端側の内周壁より狭くなるようにした傾斜壁面にしたことによって、この蓋体の内部に収納された底板と扁平状に折り畳んだ箱体が蓋体の内部から脱落しにくいように確実に収納できる。しかも、本考案によれば、蓋体の側壁部を傾斜壁面にしたことによって、この蓋体の内部に収納される底板と扁平状に折り畳んだ箱体の出し入れが蓋体の内部の内側壁を垂直に形成した場合（蓋体の側壁が垂直の場合は、出し入れに際し、蓋体の側壁と扁平状に折り畳んだ箱体の側部が接触する度合いが高く、出し入れに抵抗が多い。）に比べ比較的容易である。
【００１２】
また、本考案によれば、蓋体の側壁部を該側壁部の先端側の内周壁が基端側の内周壁より狭くなるようにした傾斜壁面にするため、蓋体の蓋面部に延設部を形成した。この延設部を形成したことによって、収納箱を座椅子として使用する際、座椅子の座面を広くできる、効果も期待できる。
【図面の簡単な説明】
【００１３】
【図１】本考案の第一の実施形態を示した、（Ａ）は使用時の斜視図、（Ｂ）は不使用時の収納状態の斜視図である。
【図２】不使用時の図１の実施形態を分解して示す斜視図である。
【図３】図１の（Ａ）の一部縦断した側面図である。
【図４】図１の（Ｂ）の一部縦断した側面図である。
【図５】本考案の第二の実施形態を示す使用時の斜視図である。
【図６】不使用時の図５の実施形態を分解して示す斜視図である。
【考案を実施するための形態】
【００１４】
本考案の実施形態を添付した図面に基づき説明する。図１〜図４は本考案の第一の実施形態を示し、図５〜図６は本考案の第二の実施形態を示している。以下の説明で特に限定のない説明は第一の実施形態及び第二の実施形態において共通する。
【００１５】
図１の（Ａ）に示した座椅子を兼ねる収納箱１（図５に示した座椅子を兼ねる収納箱１も同じ。）は、柔らかな材質の方形の底面部３と、この方形の底面部の四辺に対応した四面の硬質の側面部４，４，４，４（後述する折れ線６が形成された対向する側面部を４Ｂ，４Ｂで示し、この折れ線が形成されていない対向する側面部を４Ａ，４Ａで示してある。）で形成され、この側面部４の縦幅Ｈを箱体の高さ幅Ｈとした上方を方形状の開口部５とした箱体２と、この箱体２の底面部３に対応する硬質の底板８と、この箱体２の方形状の開口部５を被う方形の蓋面部１２と、この方形の蓋面部の周縁に連接された四面の側壁部１５，１５，１５，１５で形成され、この側壁部１５が箱体２の側面部４の上部位置を外側から被せられるようにした蓋体１０とで構成される。前記底板８は使用時に箱体２の底面部３の上面に載置するもので、方形の底面部３より僅かに小さな方形状に形成してある。
【００１６】
前記箱体２は、図１〜図４に示した第一の実施形態では、正方形の底面部３とこの底面部３と同じ正方形の四面の側面部４，４，４，４で形成された箱体である。すなわち、図１〜図４に示した第一の実施形態は、底面部３と四面の側面部４，４，４，４が同じ正方形で形成された箱体である。
【００１７】
また、図５〜図６に示した第二の実施形態では、前記箱体２が、長方形の底面部３と、この底面部３の長辺に対応した二面の側面部４（４Ａ）とこの底面部３の短辺に対応した二面の側面部４（４Ｂ）で形成された箱体である。
【００１８】
前記箱体２は、この箱体の相隣する各側面部４を折り畳み自在に連接すると共に、図１〜図４に示した第一の実施形態では、前記箱体２の一方の対向する側面部４Ｂの中央に縦方向に延びる折れ線６をそれぞれ形成してある。また、図５〜図６に示した第二の実施形態の箱体２は、この箱体の相隣する各側面部４を折り畳み自在に連接すると共に、底面部３の短辺に対応した二面の側面部４（４Ｂ）の中央に縦方向に延びる前記折れ線６をそれぞれ形成してある。そして、この箱体２は、この折れ線６が形成された対向する各側面部４（４Ｂ）の横幅Ｗ２を折れ線が形成されていない対向する各側面部４（４Ａ）の横幅Ｗ１と同幅（第一の実施形態）か若しくは横幅Ｗ１より短い幅（第二の実施形態）に形成し、この折れ線６が形成された対向する側面部４（４Ｂ）を該折れ線６を先端にして内側に折り込み自在に構成することによって、図２及び図６に示したように、前記箱体２を折れ線６が形成されていない対向する側面部４（４Ａ）の面範囲内で扁平状に折り畳み自在に構成してある。
【００１９】
前記箱体２の四面の側面部４，４，４，４は、各側面部に対応する硬質の板状芯材（図示せず）を不織布やプラスチック布などの柔軟シートからなる表皮材で連接した状態に被覆し、連接した相隣する各板状芯材の間に位置する表皮材をヒンジとして機能させることによって、相隣する各側面部を折り畳み自在に連接してある。そして、折れ線６が形成された対向する各側面部４（４Ｂ）は、折れ線６を境にして隣接する二つの硬質の板状芯材（図示せず）を柔軟シートからなる表皮材で被覆し、隣接する板状芯材の間に位置する表皮材をヒンジとして機能させた折れ線６として形成してある。
【００２０】
前記蓋体１０は、その蓋面部１２を硬質の蓋板１２Ａの上面にポリウレタンなどのクッション性を有する弾性パッド１２Ｂを設けた多層構造にすることによって、該蓋面部１２にクッション性を有する座面機能を付与している。この蓋面部１２は、ポリエステル等のプラスチック布の柔軟シートからなる表皮材で硬質の蓋板１２Ａとこの蓋板１２Ａの上面に設けた弾性パッド１２Ｂを被覆して形成されている。そして、蓋体１０の四面の側壁部１５は、各側壁部に対応する硬めの板状芯材（図示せず）を蓋面部と同様な柔軟シートからなる表皮材で連接した状態に被覆して形成されている。蓋面部１２の表皮材と四面の側壁部１５の表皮材は連接されている。
【００２１】
使用時には、図１の（Ａ）及び図５に示したように、箱体２の底面部３の上に載置した底板８で箱形態を保持し、箱形態を保持された箱体２の開口部５に蓋体１０を被せた収納箱として用いると共に、この収納箱を蓋体１０の蓋面部１２がクッション性を有する座面とした座椅子として使用できるようにしてある。
【００２２】
不使用時には、図２及び図６に示したように、蓋体１０と底板８が外された箱体２を折れ線６が形成されていない対向する側面部４（４Ａ）の面範囲内で扁平状に折り畳むことができるようにしてある。
【００２３】
次に本考案の特徴とする構成について説明する。先ず、本考案は、前記箱体２の高さ幅（箱体の側面部の縦幅）Ｈと折れ線６が形成された側面部４（４Ｂ）の伸長時の横幅Ｗ２を略同一の長さに形成することによって、箱形態の箱体２の方形状の開口部５の外周縁と折れ線６が形成されていない対向する側面部４（４Ａ）の面範囲内で扁平状に折り畳まれた箱体２の平面形状を略同一の方形状に形成してある。
【００２４】
更に、本考案は、図４に示したように、上下を使用時とは逆にした前記蓋体１０の蓋面部１２と側壁部１５の内壁面で形成される蓋体の内部空間１６を該内部空間に扁平状に折り畳まれた箱体２及び底板８を重ねて収納できる深さに形成してある。
【００２５】
更に、本考案は、図３に示したように、前記蓋体１０の蓋面部１２に前記箱体２の方形状の開口部５の外周縁より該蓋面部１２の周縁を拡げた延設部１３を形成し、この延設部１３を形成した蓋面部１２の周縁に連接された蓋体１０の側壁部１５を、蓋体１０の側壁部１５の先端側１５ａの内周壁が側壁部１５の基端側１５ｂの内周壁より狭くなるように該側壁部１５の先端側１５ａを基端側１５ｂより内側に位置させた傾斜壁面としてある。この傾斜壁面とした側壁部１５によって、箱形態の箱体２の開口部５に蓋体１０を被せた使用時にあっては、図３に示したように、側壁部１５の基端側１５ｂは該側壁部１５の内周壁と箱体２の上部外側面との間に隙間空間１８が設けられ、側壁部１５の先端側１５ａは該側壁部１５の内周壁が箱体２の上部外側面に接触されるようにし、蓋体１０の内部空間１６に扁平状に折り畳まれた箱体２と底板８を重ねて収納する不使用時にあっては、図４に示したように、側壁部１５の基端側１５ｂは該側壁部の内周壁と扁平状に折り畳まれた箱体２の側部との間に隙間空間１８が設けられ、側壁部１５の先端側１５ａは該側壁部の内周壁が蓋体１０の内部空間１６に出し入れされる扁平状に折り畳まれた箱体の側部と接触されるように構成してある。
【００２６】
なお、本考案は、図１の（Ａ）及び図５に一点鎖線で示した持ち手２０を設けることができる。この持ち手２０は、箱体２の折れ線６が形成された対向する側面部４（４Ｂ）の外壁面にそれぞれ取付けられ、折れ線６と交わる方向に折れ線６を股いて延ばした柔軟な合成皮革などから成る帯状の持ち手２０の両端部を側面部４（４Ｂ）に止着することによって設けてある。この持ち手２０は、収納箱としての使用時に有用であると共に、折り畳まれた箱体を箱形態に広げる際にも便利である。しかし、箱体２を扁平状に折り畳む際、この持ち手２０が介在して、折り畳み形態が完全な扁平状にならない。本考案によれば、折れ線６が形成された対向する側面部４（４Ｂ）に取付けた持ち手２０の介在によって、箱体２を完全な扁平状に折り畳むことができない場合であっても、図４に示したように、この折り畳まれた箱体２を蓋体１０の内部空間１６に効果的に収納できる。
【符号の説明】
【００２７】
１  座椅子を兼ねる収納箱
２  箱体
３  箱体の底面部
４  箱体の側面部
４Ａ  折れ線が形成されていない側面部
４Ｂ  折れ線が形成された側面部
５  箱体の開口部
６  折れ線
Ｈ  箱体の側面部の縦幅（箱体の高さ幅）
Ｗ１  折れ線が形成されていない側面部の横幅
Ｗ２  折れ線が形成された側面部の横幅
８  底板
１０  蓋体
１２  蓋体の蓋面部
１２Ａ  蓋面部の蓋板
１２Ｂ  蓋面部の弾性パッド
１３  蓋体の蓋面部の延設部
１５  蓋体の側壁部（傾斜壁面）
１５ａ  蓋体の側壁部の先端側
１５ｂ  蓋体の側壁部の基端側
１６  蓋体の内部空間
１８  隙間空間
２０  持ち手
【図１】
0003207795.tif 000003
【図２】
0003207795.tif 000004
【図３】
0003207795.tif 000005
【図４】
0003207795.tif 000006
【図５】
0003207795.tif 000007
【図６】
0003207795.tif 000008